(57)【要約】【課題】エンジンカバーを安定した状態に保持し、コンバインの耐久性を向上させる。【解決手段】車体（２）の左右方向の略中央位置に走行ミッション装置（１）を設け、走行ミッション装置（１）の上方位置に操作フレーム（３）を設け、操作フレーム（３）及び走行ミッション装置（１）の左右一方側にエンジン（４）を配置し、左右他方側に刈取り懸架台（５）を配置し、刈取り懸架台（５）側に下部を連結した補強フレーム（６）の上部を操作フレーム（３）側に連結し、エンジン（４）を、外側下部に配置した前後方向の支持軸（７）で開閉自由に軸着したエンジンカバー（８）によって被覆し、エンジンカバー（８）は、その上部に設けた係止具（９）を操作フレーム（３）側に係脱自在に係合して被覆状態を保持できる構成とする。【選択図】  図１
2009261346.tif 000002
【特許請求の範囲】
【請求項１】
車体（２）の左右方向の略中央位置に走行ミッション装置（１）を設け、該走行ミッション装置（１）の上方位置に車体（２）側に固定された操作フレーム（３）を設け、該操作フレーム（３）及び走行ミッション装置（１）の左右一方側にエンジン（４）を配置すると共に左右他方側に刈取り懸架台（５）を配置し、該刈取り懸架台（５）側に下部を連結した補強フレーム（６）の上部を前記操作フレーム（３）側に連結し、前記エンジン（４）を、外側下部に配置した前後方向の支持軸（７）で開閉自由に軸着したエンジンカバー（８）によって被覆し、該エンジンカバー（８）は、その上部に設けた係止具（９）を前記操作フレーム（３）側に係脱自在に係合して被覆状態を保持できる構成としたことを特徴とするコンバイン。
【請求項２】
前記走行ミッション装置（１）の走行ミッションケース（１ａ）の上部に給油パイプ（１０）の下部を連結し、該給油パイプ（１０）の上部を前記操作フレーム（３）に連結したことを特徴とする請求項１記載のコンバイン。
【請求項３】
前記補強フレーム（６）に、操作フレーム（３）側から刈取搬送装置（１１）側に配索するハーネス（１２）を支持させたことを特徴とする請求項１記載のコンバイン。
【発明の詳細な説明】
【技術分野】
【０００１】
この発明は、コンバインに関する。
【背景技術】
【０００２】
従来からコンバインの操作装置を支持する構成は、走行ミッションケースの上方に、車体の進行方向に沿って前後方向に配置した操作フレームに、刈・脱クラッチレバーや副変速レバー等を支持する構成が一般的であった。そして、コンバイン前部の配置構成は、既に、従来から広く知られているように、正面視において、低位置の走行ミッションケースとその上方に配置した上記操作フレームとを中央にして、左側の車体上にエンジンが搭載され、右側には刈取り懸架台が配置されている。
【０００３】
例えば、特開２００３−１５９９５６号公開特許公報（特許文献１参照）に開示されているように、操作フレームには、各操作レバーが操作自由に枢支された構成となっており、正面視で右側に刈取り懸架台が装置されており、その操作フレーム自体は、強度上に課題のある部材となっていた。
【特許文献１】特開２００３−１５９９５６号
【発明の開示】
【発明が解決しようとする課題】
【０００４】
従来、メンテナンス時には車体の横外側にまで大きく開放できるエンジンカバーを、エンジンを覆ったときには、カバー側の係止具を、走行ミッションケースの上方にある操作フレームに係合して保持する構成としていた。このような従来のコンバインは、エンジンカバーを閉じてエンジンを覆った位置では、カバーの係止具を操作フレーム側に引っ掛けて係止するから、操作フレームは、開き方向側から引っ張り荷重を受けるために、エンジンカバー側に撓む課題があった。
【課題を解決するための手段】
【０００５】
この発明は、上記課題を解決するために、次のような技術的手段を講じる。
即ち、請求項１記載の発明は、車体（２）の左右方向の略中央位置に走行ミッション装置（１）を設け、該走行ミッション装置（１）の上方位置に車体（２）側に固定された操作フレーム（３）を設け、該操作フレーム（３）及び走行ミッション装置（１）の左右一方側にエンジン（４）を配置すると共に左右他方側に刈取り懸架台（５）を配置し、該刈取り懸架台（５）側に下部を連結した補強フレーム（６）の上部を前記操作フレーム（３）側に連結し、前記エンジン（４）を、外側下部に配置した前後方向の支持軸（７）で開閉自由に軸着したエンジンカバー（８）によって被覆し、該エンジンカバー（８）は、その上部に設けた係止具（９）を前記操作フレーム（３）側に係脱自在に係合して被覆状態を保持できる構成としたことを特徴とするコンバインとした。
【０００６】
操作フレーム（３）は、エンジンカバー（８）側から受ける引っ張り荷重に対向させて刈取り懸架台（５）に取り付けている補強フレーム（６）の上部を連結して構成し、操作フレーム（３）の撓みを防止し、エンジンカバー（８）を安定よく保持するものとしている。
【０００７】
請求項２記載の発明は、走行ミッション装置（１）の走行ミッションケース（１ａ）の上部に給油パイプ（１０）の下部を連結し、該給油パイプ（１０）の上部を前記操作フレーム（３）に連結したことを特徴とする請求項１記載のコンバインとした。
【０００８】
操作フレーム（３）は、補強フレーム（６）と、給油パイプ（１０）とが連結されて補強されているから、各操作レバー等の安定した支持は勿論、エンジンカバー（８）を確実に保持できるものとなっている。
【０００９】
請求項３記載の発明は、補強フレーム（６）に、操作フレーム（３）側から刈取搬送装置（１１）側に配索するハーネス（１２）を支持させたことを特徴とする請求項１記載のコンバインとした。
【００１０】
ハーネス（１２）の配線を補強フレーム（６）を利用して、これに添わせることによって、周辺部材に支障にならず、絡み等が起こることもない利点がある。
【発明の効果】
【００１１】
請求項１記載の発明によると、操作フレーム（３）に、エンジンカバー（８）側から受ける引っ張り荷重に対向するように、刈取り懸架台（５）に取り付けている補強フレーム（６）の上部を連結して補強し、撓みの発生を未然に防止してエンジンカバー（８）を安定した状態に保持でき、コンバインの耐久性を向上させることができる。
【００１２】
請求項２記載の発明によると、上記請求項１記載の発明の効果に加え、操作フレーム（３）に、補強フレーム（６）と給油パイプ（１０）との両者を連結して補強したから、各操作レバーの取り付け支持を安定させると共に、エンジンカバー（８）を安定した状態に保持することができる。
【００１３】
請求項３記載の発明によると、ハーネス（１２）の配線を補強フレーム（６）に添わせることによって、周辺の他の部材に支障を与えない配線を可能とし、絡みや弛みの起きず、配線の短絡を防止してコンバインの耐久性を高めることができる。
【発明を実施するための最良の形態】
【００１４】
以下、この発明の実施例を図面に基づいて具体的に説明する。
まず、コンバイン１５は、図４に示すように、コンバイン車体２上の前部において、前進方向に向かって右側に運転席１６を、左側に刈取搬送装置１１を配置し、その後方に脱穀装置１７が搭載され、該脱穀装置１７の右側（前記運転席１６の後方）に籾ホッパー１８を搭載して構成している。
【００１５】
そして、上記刈取搬送装置１１は、図面に示すように、前部低位置に３つの分草杆１９を刈取穀稈条ごとに配置して設け、その背後に斜め後方に傾斜させて左右一対の穀稈引起し装置２０，２０を設け、その下側低位置に２条の穀稈の刈幅にした刈取装置２１を配置し、その上方から後方へ前記脱穀装置１７に向けて株元側と穂先側との穀稈搬送装置２２，２３を設け、これら各装置を、後述する刈取フレーム３５に一体に支持して伝動可能に構成している。
【００１６】
更に、この出願発明の要部の実施例について、具体的に説明すると、図１の正面視（正面図の意味、以下同じ）において、ミッションケース２５は、走行ミッション装置１を内装して、コンバイン車体２の左右方向の略中央位置に配置して固定しているが、その車体２の下側にまで下げて位置した構成としている。そして、ミッションケース２５は、左右両側にホイールシャフト２６，２６を突出させて外側に延長し、駆動スプロケット２７，２７を軸着してクローラ２８，２８を係合して回転駆動しながら走行する構成としている。
【００１７】
そして、操作フレーム３は、図１、乃至図４に示すように、前記ミッションケース２５の上方位置に、前後方向に配置して枠組み固定し、主変速レバー３０を支持具３１を介して支持して設け、操作ロット３２によって下側のＨＳＴ３３に変速操作可能に接続した構成としている。そして、エンジン４と刈取り懸架台５とは、図１、及び図３に示すように、前記操作フレーム３と前記ミッションケース２５とを中央にして、前進方向の右側にエンジン４を搭載し、その他方側に刈取り懸架台５を形成した構成としている。
【００１８】
そして、実施例のコンバインでは、エンジン４からの出力を２つに分岐して、一方を前記脱穀装置１７側に、他方を前記ＨＳＴ３３側に分配してそれぞれ伝動する構成としている。なお、前記刈取搬送装置１１は、前記ＨＳＴ３３から走行ミッション装置１を経由して走行速度にシンクロされた回転動力が入力される構成となっている。そして、前記刈取り懸架台５には、既に説明した刈取搬送装置１１を構成する各装置を、中間部分から先端部分に支持している前記刈取フレーム３５の基部を、横軸によって先端刈取装置２１側が上下方向に回動調節自由になるように支持して懸架した構成としている。このように、刈取搬送装置１１は、刈取り懸架台５上に安定した状態で支持され、刈取搬送作用を行うものである。
【００１９】
つぎに、補強フレーム６は、図１、乃至図３に示すように、下部を前記刈取り懸架台５に連結して固定し、斜めに中央側上方に延長して上部を操作フレーム３に取付具３６を介して固着して構成している。更に、実施例は、下部をミッションケース２５に固定した給油パイプ１０の上部を、操作フレーム３に連結して固着した構成としている。
【００２０】
そして、エンジンカバー８は、図１、及び図３に示すように、コンバイン車体２の前部右側に搭載したエンジン４の右外側と、上側（既に説明した運転席１６をカバー８上に装置している。）と、前側と、後ろ側との四方を囲んでカバーできる形状に形成し、コンバイン車体２の外側の底部に軸装した前後方向の支持軸７によってエンジン４を覆う位置とコンバイン車体２の外側（図４の仮想線参照）とに開閉自由に支持した構成としている。そして、エンジンカバー８は、図１の仮想線で示すように、その上部に係止具９を設け、操作フレーム３側の係止凹部３７に係脱操作自由に係合して前記操作フレーム３に支持させ、エンジン４を被覆した状態で保持できる構成としている。
【００２１】
そして、刈取り懸架台５と操作フレーム３とを連結した補強フレーム６は、図１、及び図２に示すように、操作フレーム３側から刈取り懸架台５側を経由して刈取搬送装置１１に配索するためのハーネス１２を、補強フレーム６に添わせた構成としている。
【００２２】
そして、実施例は、図１、乃至図３に示すように、前記操作フレーム３を利用してワイヤー受け３８を設けて、脱穀装置１７の３番口開閉シャッターを開閉操作する連動操作ワイヤー４１を操作自由に支持した構成としている。
【００２３】
つぎに、前記ＨＳＴ３３は、図５、及び図６に示したように、すぐ上側にオイルフィルター４０を前後方向に向けて取り付け、側部のサイドカバー４１を開閉式にしてメンテナンスが容易にできる構成としている。
【００２４】
従来のＨＳＴ用のオイルフィルターは、刈取部の後方に配置して設けていたから、メンテナンス時に刈取部や周囲の機器が邪魔になって取り外しに難儀し、フィルターとＨＳＴとの間をつなぐ長いホースが必要であった。
【００２５】
上記実施例は、側部のサイドカバー４１をすぐに開放できるから、外側（運転席１６前のフロア側から）取り外し等のメンテナンスが簡単になると共に、オイルフィルター４０からＨＳＴ３３までの長い配管が不要となり、コストが低減できるものとなった。
【００２６】
なお、図５、図６において、４２は送油管を示し、極々短いものとなっている。
以上のように構成したこの出願発明の実施例は、エンジンカバー８に設けている係止具９を、操作フレーム３側の係止凹部３７に係止して保持したとき、係止具９側から受ける引っ張り荷重に対向するように、刈取り懸架台５に取り付けている補強フレーム６の上部を連結して補強している。したがって、実施例の場合、操作フレーム３は、エンジンカバー８側への撓みの発生が未然に防止され、エンジンカバー８側からの引き荷重に対向できる充分な強度が保持できて安定した状態に保つことができるものとなった。
【００２７】
そして、実施例の場合、操作フレーム３は、補強フレーム６と給油パイプ１０との両者を連結して補強したから、主変速レバー３０の他、各操作レバーの取り付け支持を安定させると共に、上記のエンジンカバー８を安定した状態に保持することができるものとなっている。
【００２８】
そして、実施例は、図１、乃至図３に示し、明細書で説明したように、ハーネス１２の配線を補強フレーム６に添わせる構成にしているから、ハーネス１２が、周辺の他の部材に絡んだり巻き付いたりせず、支障を与えず、絡みや弛みの起きないものとなった利点もある。
【００２９】
つぎに、車体水平制御用の油圧制御バルブ４５について、図７、及び図８に基づいて実施例を説明する。
まず、グレンタンク４６は、実施例の場合、内部に排出螺旋軸４７が軸装されている底部４６ａが鉄板で形成され、その上側に樹脂製のタンク主要部４６ｂが接合自在に連結された構成となっている。そして、グレンタンク４６は、グレンタンクオープン回動時には、上部のタンク主要部４６ｂの部分が揚穀筒４８側を回動支点に外側方にオープン回動し、底部４６ａが排出螺旋軸４７とともに回動せず、コンバイン車体４９に残る構成となっている。この場合、底部４６ａは、排出螺旋軸４７側（中央底部）に穀粒が流れ落ちるように低く傾斜状に形成し、コンバイン車体４９の右側（前進方向に向かって）に寄せて固定した構成としている。
【００３０】
なお、本件出願前の特開２０００−６０２９０号公開特許公報には、従来公知の技術が開示されており、脱穀装置に隣接してグレンタンクを装置した構成において、グレンタンクの流穀底板の下方外側に形成される空間部分に、例えば、燃料タンク等を搭載して空間を有効に利用した発明が公知例として知られている。
【００３１】
そして、実施例の場合、油圧制御バルブ４５は、図面に示すように、上記グレンタンク４６の傾斜した底部４６ａとコンバイン車体４９との間に形成されている空間部分５０に装置するが、まず、車体４９上に載置板５１を固定し、その上に取付けて装置した構成としている。そして、車体水平制御の左右一対の油圧制御シリンダー５３，５３は、前記油圧制御バルブ４５に近い位置でコンバイン車体４９のすぐ下側に装備した構成となっている。なお、車体水平制御の一つであるローリング制御については、既に周知の構成であるから詳細な説明を省略する。
【００３２】
以上のように構成することによって、実施例は、グレンタンク４６の底部４６ａの下側空間部分５０を有効に利用して装置したのは勿論であるが、下側の接近した位置に車体水平制御の左右一対の油圧制御シリンダー５３，５３が配置されているから、短い油圧ホースで充分であり、コスト的に有利に構成できる特徴がある。そして、油圧制御バルブ４５は、グレンタンク主要部４６ｂの傾斜流穀板にある掃除窓にも全く支障がなく、作業性も良い利点がある。
【００３３】
そして、油圧制御バルブ４５は、前述のとおり、コンバイン車体４９の上に固定した載置板５１に取り付けて装置したから、その載置板５１が、走行時にクローラ５５が跳ね上げる泥土のガード機能を有し、泥がかかる事のない利点もある。
【００３４】
つぎに、２つのギヤポンプ５５，５６をエンジンルーム５７に装備した実施例を、図９、及び図１０に基づいて説明する。
まず、エンジンルーム５７は、図面に示すように、横向きにエンジン５８が搭載され、外側（図９の右側）のラジエーター５９を装置した側に冷却ファン６０を軸架し、外気をラジエーター５９からラジエーターシュラウド（ラジエーターを支える外枠）６１を通して吸引する配置構成としている。
【００３５】
そして、２つのギヤポンプ５５，５６は、図９に示すように、エンジン５８に直結した伝動機構６２を左右両側から挟んで伝動可能な状態にして装置し、一方のギヤポンプ５５を、上記したラジエーターシュラウド６１の内側まで入り込ませた位置に装置した構成としている。この場合、２つのギヤポンプ５５，５６は、エンジン５８に直結状態に構成した前記伝動機構６２によって駆動される構成となっているから、従来の如く、エンジン側から長い伝動経路を不要とし、直に伝動する構成にしており、製作コストが低減できる利点がある。そして、一方のギヤポンプ５５は、前述のとおり、ラジエーターシュラウド６１の内側まで入り込ませて設けているから、効果的に冷却される特徴がある。実施例では、上記ラジエーターシュラウド６１内のギヤポンプ５５を車体水平制御用に利用するものとしており、上記の通り、効果的に冷却されるから安定して作動油の供給ができるものとなった。
【００３６】
このように、実施例は、２つのギヤポンプ５５，５６をエンジンルーム５７内の空間を有効に利用して装置し、従来の如く、脱穀装置の近傍に装置した構成に比較して、コスト面でも有効となり、コンパクトな構成となる。
【図面の簡単な説明】
【００３７】
【図１】ミッションケースを中央にコンバイン車体上の配置を示す正断面図
【図２】同上の配置を示す側面図
【図３】同上の配置を示す平面図
【図４】コンバインの平面図
【図５】ミッションケースとＨＳＴとの正面図
【図６】ＨＳＴの側面図
【図７】実施例のグレンタンクと油圧制御バルブとの搭載位置の平面図
【図８】同上の一部断面した背面図
【図９】ギヤポンプを装置したエンジンルームの背面図
【図１０】同上のエンジンルームの側面図
【符号の説明】
【００３８】
１    走行ミッション装置
２    コンバイン車体
３    操作フレーム
４    エンジン
５    刈取り懸架台
６    補強フレーム
７    支持軸
８    エンジンカバー
９    係止具
１０    給油パイプ
１１    刈取搬送装置
１２    ハーネス
【図１】
2009261346.tif 000003
【図２】
2009261346.tif 000004
【図３】
2009261346.tif 000005
【図４】
2009261346.tif 000006
【図５】
2009261346.tif 000007
【図６】
2009261346.tif 000008
【図７】
2009261346.tif 000009
【図８】
2009261346.tif 000010
【図９】
2009261346.tif 000011
【図１０】
2009261346.tif 000012